(57)【要約】【課題】把持する際に指先が受ける面圧が低く、長時間の使用に対して、疲れず楽に書き続けられる筆記具用グリップを提供することを目的とする。【解決手段】正しい使用方法では親指Ｆ１　と人指し指Ｆ２　と中指Ｆ３　が当接する３つの把持面２を有する先端側１０Ａと、当接しない基端側１０Ｂと、から成る。先端側１０Ａに於ては、３つの把持面２が、横断面に於て、筆記具の軸心Ｘ点を中心とした仮想円に外接する略正三角形状に形成される。また、基端側１０Ｂに於ては、３つの把持面２と同一平坦面となるように基端方向に延長された３つの延長面２０と、横断面に於て、略正三角形を成す３つの延長面２０の角を面取りした補助把持面３０から成る略六角形状とされる。【選択図】　図１
0003098191.tif 000002
【実用新案登録請求の範囲】
【請求項１】
親指（Ｆ１　）と人指し指（Ｆ２　）と中指（Ｆ３　）が当接する３つの把持面（２）を形成した筆記具用グリップであって、
上記把持面（２）が、横断面に於て、筆記具の軸心（Ｘ）点を中心とした仮想円（８）に外接する略正三角形状に形成されたことを特徴とする筆記具用グリップ。
【請求項２】
正しい使用方法では親指（Ｆ１　）と人指し指（Ｆ２　）と中指（Ｆ３　）が当接する３つの把持面（２）を有する先端側（１０Ａ）と、当接しない基端側（１０Ｂ）と、から成り、
上記先端側（１０Ａ）に於ては、上記３つの把持面（２）が、横断面に於て、筆記具の軸心（Ｘ）点を中心とした仮想円（８）に外接する略正三角形状に形成され、
上記基端側（１０Ｂ）に於ては、上記３つの把持面（２）と同一平坦面となるように基端方向に延長された３つの延長面（２０）と、横断面に於て、略正三角形を成す上記３つの延長面（２０）の角を面取りした補助把持面（３０）から成る略六角形状とされたことを特徴とする筆記具用グリップ。
【請求項３】
親指（Ｆ１　）と人指し指（Ｆ２　）と中指（Ｆ３　）が当接する３つの把持面（２）を形成した筆記具用グリップであって、
上記把持面（２）が、横断面に於て、筆記具の軸心（Ｘ）点を中心とした仮想円（８）に外接する略正三角形状に形成され、
トルマリン鉱石粉を含むシリコンゴムから成り指との摩擦によってマイナスイオンを発生可能であることを特徴とする筆記具用グリップ。
【請求項４】
正しい使用方法では親指（Ｆ１　）と人指し指（Ｆ２　）と中指（Ｆ３　）が当接する３つの把持面（２）を有する先端側（１０Ａ）と、当接しない基端側（１０Ｂ）と、から成り、
上記先端側（１０Ａ）に於ては、上記３つの把持面（２）が、横断面に於て、筆記具の軸心（Ｘ）点を中心とした仮想円（８）に外接する略正三角形状に形成され、
上記基端側（１０Ｂ）に於ては、上記３つの把持面（２）と同一平坦面となるように基端方向に延長された３つの延長面（２０）と、横断面に於て、略正三角形を成す上記３つの延長面（２０）の角を面取りした補助把持面（３０）から成る略六角形状とされ、
トルマリン鉱石粉を含むシリコンゴムから成り指との摩擦によってマイナスイオンを発生可能であることを特徴とする筆記具用グリップ。
【請求項５】
正しい使用方法では親指（Ｆ１　）と人指し指（Ｆ２　）と中指（Ｆ３　）が当接する３つの把持面（２）を有する先端側（１０Ａ）と、当接しない基端側（１０Ｂ）と、から成り、
上記先端側（１０Ａ）に於ては、上記３つの把持面（２）が、横断面に於て、筆記具の軸心（Ｘ）点を中心とした仮想円（８）に外接する略正三角形状に形成され、
上記基端側（１０Ｂ）に於ては、上記３つの把持面（２）と同一平坦面となるように基端方向に延長された３つの延長面（２０）と、横断面に於て、略正三角形を成す上記３つの延長面（２０）の角を面取りした補助把持面（３０）から成る略六角形状とされた複数個の筆記具用グリップから成り、上記グリップの孔部（５）の内径（φ）が相違することを特徴とする筆記具用グリップセット。
【考案の詳細な説明】
【０００１】
【考案の属する技術分野】
本考案は、筆記具用グリップ及びそのセットに関する。
【０００２】
【従来の技術】
従来の筆記具用グリップは、親指，中指，人指し指によって把持される部分を、略円柱形状に形成したものがある。
【０００３】
【考案が解決しようとする課題】
この従来の筆記具用グリップは、上記の夫々の指との接触面積が小さいので指先が受ける面圧が高いため、指先が痛くなり易く、長時間使用すると疲れて、ペンダコができ易い。
そこで、本考案は、把持する際に指先が受ける面圧が低く、長時間の使用に対して、疲れず楽に書き続けられる筆記具用グリップを提供することを目的とする。
【０００４】
【課題を解決するための手段】
上述の目的を達成するために、本考案に係る筆記具用グリップは、親指と人指し指と中指が当接する３つの把持面を形成した筆記具用グリップであって、上記把持面が、横断面に於て、筆記具の軸心点を中心とした仮想円に外接する略正三角形状に形成されている。
【０００５】
また、正しい使用方法では親指と人指し指と中指が当接する３つの把持面を有する先端側と、当接しない基端側と、から成り、上記先端側に於ては、上記３つの把持面が、横断面に於て、筆記具の軸心点を中心とした仮想円に外接する略正三角形状に形成され、上記基端側に於ては、上記３つの把持面と同一平坦面となるように基端方向に延長された３つの延長面と、横断面に於て、略正三角形を成す上記３つの延長面の角を面取りした補助把持面から成る略六角形状とされている。
【０００６】
また、親指と人指し指と中指が当接する３つの把持面を形成した筆記具用グリップであって、上記把持面が、横断面に於て、筆記具の軸心点を中心とした仮想円に外接する略正三角形状に形成され、トルマリン鉱石粉を含むシリコンゴムから成り指との摩擦によってマイナスイオンを発生可能である。
【０００７】
また、正しい使用方法では親指と人指し指と中指が当接する３つの把持面を有する先端側と、当接しない基端側と、から成り、上記先端側に於ては、上記３つの把持面が、横断面に於て、筆記具の軸心点を中心とした仮想円に外接する略正三角形状に形成され、上記基端側に於ては、上記３つの把持面と同一平坦面となるように基端方向に延長された３つの延長面と、横断面に於て、略正三角形を成す上記３つの延長面の角を面取りした補助把持面から成る略六角形状とされ、トルマリン鉱石粉を含むシリコンゴムから成り指との摩擦によってマイナスイオンを発生可能である。
【０００８】
また、本考案に係る筆記具用グリップのセットは、正しい使用方法では親指と人指し指と中指が当接する３つの把持面を有する先端側と、当接しない基端側と、から成り、上記先端側に於ては、上記３つの把持面が、横断面に於て、筆記具の軸心点を中心とした仮想円に外接する略正三角形状に形成され、上記基端側に於ては、上記３つの把持面と同一平坦面となるように基端方向に延長された３つの延長面と、横断面に於て、略正三角形を成す上記３つの延長面の角を面取りした補助把持面から成る略六角形状とされた複数個の筆記具用グリップから成り、上記グリップの孔部の内径が相違する。
【０００９】
【考案の実施の形態】
以下、実施の形態を示す図面に基づき、本考案を詳説する。
【００１０】
図１は本考案に係る筆記具用グリップの実施の一形態の斜視図を示し、筆記具１に取付けられたグリップ本体１０は、正しい使用方法では、親指Ｆ１　と人指し指Ｆ２　と中指Ｆ３　が当接する先端側１０Ａと、上記の指が当接しない基端側１０Ｂと、から成り、筆記具に外嵌状に取り付けられるための孔部５が、筆記具１の軸心Ｘと同一軸心となるように、形成されている。また、グリップ本体１０は、トルマリン鉱石を細かく粉砕してシリコンゴムと練り合わせて成型されており、指との摩擦によってマイナスイオンを発生可能である。
【００１１】
図２，図３，図４，図５に示したように、グリップ本体１０は、先端側１０Ａに於ては、親指Ｆ１　と人指し指Ｆ２　と中指Ｆ３　が当接する３つの把持面２…を有する。これらの３つの把持面２…は、横断面に於て、筆記具１の軸心Ｘ点を中心とした仮想円８に外接する略正三角形状に形成され、この略三角形を成す上記３つの把持面２…の３箇所の角に、面取り部３…が形成されている。把持面２の幅寸法Ｄ２　は、１２ｍｍ乃至１７ｍｍに設定する。Ｄ２　が１２ｍｍより小さいと、（後述するように）指先が受ける面圧が大きくなってしまい、Ｄ２　が１７ｍｍより大きいと、グリップ本体１０が大きくなり使いづらい。
【００１２】
次に、グリップ本体１０は、基端側１０Ｂに於ては、３つの把持面２…と同一平坦面となるように基端方向に延長された３つの延長面２０…と、横断面に於て、略正三角形を成す上記３つの延長面２０…の角を面取りした補助把持面３０…と、から成る。３つの補助把持面３０…は、横断面に於て、筆記具１の軸心Ｘ点を中心とした仮想円９の接線方向に延設した平坦面状に形成される。このように、基端側１０Ｂは、横断面に於て、略六角形状に形成されている。補助把持面３０…の幅寸法Ｄ３０は、３ｍｍ乃至７ｍｍに形成される。幅寸法Ｄ３０が３ｍｍよりも狭いと、（後述するように）親指Ｆ１　が受ける面圧が大きくなり、７ｍｍよりも広く形成すると、グリップ本体１０が大きくなり使いづらい。
【００１３】
図１，（後述する）図６に示したグリップ本体１０は、筆記具１に取付けられるような内径の孔部５に形成されている。または、複数個の筆記具用グリップ本体１０から成るセットとして構成して、（図２〜図５に示した）グリップ本体１０の孔部５の内径φを相違させれば、様々な外径の筆記具１に取付け可能である。
【００１４】
次に、グリップ本体１０の作用（使用）について説明する。図１に示したように、筆記具１を正しい使用方法で使用すると、親指Ｆ１　と人指し指Ｆ２　と中指Ｆ３　が、先端側１０Ａに形成された３つの把持面２に当接する。このとき、図５に示したように、把持面２は、夫々の指から、矢印Ｐ１　の方向へ押圧され、夫々の指は、把持面２から、矢印Ｐ２　のように、抗力を分散して受ける。
【００１５】
図６は本来の正しい使用方法とは異なる把持方法の一例を示した斜視図で、親指Ｆ１　を、人指し指Ｆ２　と中指Ｆ３　よりも基端側で把持して、筆記具１を使用する方法である。具体的には、人指し指Ｆ２　と中指Ｆ３　は、先端側１０Ａの２つの把持面２に当接し、親指Ｆ１　は、基端側１０Ｂの補助把持面３０に当接して、把持する。あるいは、別の把持方法の例としては、図示省略するが、親指Ｆ１　が基端側１０Ｂの延長面２０に当接する。上記のいずれの場合も、親指Ｆ１　は、グリップ本体１０に当接する面積が大きく、抗力を分散して受ける。
【００１６】
以上のように、上記のグリップ本体１０を取付けた筆記具１を使用すれば、親指Ｆ１　と人指し指Ｆ２　と中指Ｆ３　が、把持面２と多くの面積にて当接するため、夫々の指が受ける面圧が低くなり、指先が苦痛を感じず、疲れずに長時間使用できる。そして、ペンダコもできにくく、楽に使用できる。また、先端側１０Ａの把持面２…の端部に、面取り部３が形成されているので、時々筆記具を軽く回して指が当接する把持面２を変えながら使用でき、一層疲れ防止となる。
【００１７】
また、親指Ｆ１　を、人指し指Ｆ２　と中指Ｆ３　よりも基端側で把持する変則的な使い方をする人が使用する場合でも、親指Ｆ１　は、グリップ本体１０の基端側１０Ｂに形成された補助把持面３０と多くの面積にて当接（把持）するので、受ける面圧が低く、指先が苦痛を感じず疲れない。このように、本発明のグリップは簡易な構造でありながら、どのような使用方法でも、指先が苦痛を感じず、疲れずに長時間使用できる。
【００１８】
また、グリップ本体１０は、シリコンゴムから成るため、指先の膨らみ部に適応するよう柔軟に変形し、さらに、シリコンゴムにトルマリン鉱石を含むため、指との摩擦によってマイナスイオンを発生するので、一層手（指）をリラックスさせ、楽に使うことができる。
【００１９】
また、複数個の筆記具用グリップ本体１０から成るセットとして構成して、グリップ本体１０の孔部５の内径φを相違させれば、様々な筆記具に取付けられて、それらの筆記具を楽に使用することができる。
【００２０】
また、グリップ本体１０を、上述の形状と設計変更するも自由であり、把持面２…が、上記３本の指の膨らみ部分に密着するように、横断面に於て、緩やかな凹状面となるように形成されてもよく、さらに、３つの補助把持面３０…が、緩やかな凸状面に形成されてもよい。
【００２１】
【考案の効果】
本考案は、上述の構成により次のような著大な効果を奏する。
【００２２】
（請求項１，２，３，４，５によれば、）親指Ｆ１　と人指し指Ｆ２　と中指Ｆ３　が、把持面２と多くの面積にて当接するため、夫々の指が受ける面圧が低いので、指先が苦痛を感じず、疲れずに長時間使用できる。そして、ペンダコもできにくい。また、３つの把持面２が、横断面に於て、略正三角形状であるので、３本の指からの押圧力が径方向へ掛かり、安定して把持できる。
【００２３】
（請求項２，４によれば、）親指Ｆ１　を、人指し指Ｆ２　と中指Ｆ３　よりも基端側で把持する変則的な使い方をする人が使用する場合でも、親指Ｆ１　は、補助把持面３０あるいは延長面２０と多くの面積にて当接（把持）するので、受ける面圧が低く、指先が苦痛を感じず、長時間使用しても疲れない。
【００２４】
（請求項３，４によれば、）シリコンゴムから成るため、指先の膨らみ部に適応するよう柔軟に変形し、さらに、シリコンゴムにトルマリン鉱石を含むため、指との摩擦によってマイナスイオンを発生するので、一層手をリラックスさせ、楽に使うことができる。
【００２５】
（請求項５によれば、）様々な筆記具に取付けることができて、それらの筆記具を楽に使用することができる。
【図面の簡単な説明】
【図１】本考案に係る筆記具用グリップの実施の一形態を示す斜視図である。
【図２】グリップ本体の斜視図である。
【図３】グリップ本体の側面図である。
【図４】図３のＡ−Ａ断面矢視図である。
【図５】図３のＢ−Ｂ断面矢視図である。
【図６】本考案に係る筆記具用グリップを変則的に使用する状態を示す斜視図である。
【符号の説明】
１　　筆記具
２　　把持面
８　　仮想円
１０　　グリップ本体
１０Ａ　先端側
１０Ｂ　基端側
２０　　　　延長面
３０　　　　補助把持面
Ｆ１　　親指
Ｆ２　　人指し指
Ｆ３　　中指
Ｘ　　軸心
【図１】
0003098191.tif 000003
【図２】
0003098191.tif 000004
【図３】
0003098191.tif 000005
【図４】
0003098191.tif 000006
【図５】
0003098191.tif 000007
【図６】
0003098191.tif 000008